(57)【要約】【課題】フック等が容易に交換されうる疑似餌２２の提供。【解決手段】疑似餌２２は、ヘッド２４と、フックに固定されたハリス６０とを備えている。ヘッド２４は、本体３２、ラインアイ３４及び掛け鉤３６からなる。本体３２は、第一抉剔部３８、第二抉剔部４０及び孔４２を備えている。掛け鉤３６は、一端５０、収容部５２、当接部５４及び他端５６を備えている。一端５０は本体３２に埋め込まれており、本体３２に堅固に固定されている。当接部５４は、本体３２と当接している。他端５６は、本体３２から離れている。掛け鉤３６は、全体的にスプリングとして機能する。当接部５４及び他端５６は、本体３２に向かって付勢されている。孔４２を通されたハリス６０は、掛け鉤３６に掛け留められる。【選択図】図２
2008173039.tif 000002
【特許請求の範囲】
【請求項１】
高比重材料からなるヘッドと、フック及びハリスからなるフックアッセンブリーとを備えており、
このヘッドが、ハリスが貫通する孔を備えた本体と、この孔の一端の近傍において本体に取り付けられた掛け鉤とを備えており、
この掛け鉤にハリスが掛け留めされるように構成された疑似餌。
【請求項２】
上記掛け鉤が、その一端が本体に固定されたスプリングであり、このスプリングによって掛け鉤の他端が本体に向かって付勢されており、この付勢力に抗して他端が本体から離されることで、ハリスが通過する間隙が掛け鉤と本体との間に形成されるように構成された請求項１に記載の疑似餌。
【発明の詳細な説明】
【技術分野】
【０００１】
本発明は、釣りに用いられる疑似餌に関する。
【背景技術】
【０００２】
インチクと称される疑似餌を用いて、鯛釣りが行われている。図８は、従来の疑似餌２が示された正面図である。この疑似餌は、金属製のヘッド４、フックアッセンブリー６、スプリットリング８及びタコベイト１０を備えている。ヘッド４は、孔１２を備えている。ヘッド４はさらに、ラインアイ１４を備えている。フックアッセンブリー６は、フック１６及びハリス１８を備えている。ハリス１８は、孔１２を貫通している。ハリス１８の端には、スプリットリング８が取り付けられている。このスプリットリング８のサイズは、孔１２の内径よりも大きい。スプリットリング８は、孔１２に入り得ない。このスプリットリング８により、ハリス１８の孔１２からの脱抜が阻止される。タコベイト１０は、ゴム製である。タコベイト１０には、ハリス１８が貫通している。
【０００３】
この疑似餌２は、ラインアイ１４にライン２０が結ばれた状態で、海底に沈められる。ライン２０が引かれて疑似餌２が海水中を上昇すると、水圧を受けてタコベイト１０が揺らめく。この揺らめきにより、鯛はタコベイト１０を生きた餌と勘違いし、これに食いつく。フック１６が鯛に刺さって、鯛が釣り上げられる。
【発明の開示】
【発明が解決しようとする課題】
【０００４】
釣り人がタコベイト１０又はフック１６を交換するときは、ハリス１８からスプリットリング８がはずされる。このハリス１８は、ヘッド４から抜かれる。他のハリス１８が孔１２に通され、このハリス１８の端にスプリットリング８が取り付けられる。この交換作業は、煩わしい。この交換作業には、時間がかかる。釣り人が交換作業に手間取って、釣期を逃すこともある。
【０００５】
本発明の目的は、フック等が容易に交換されうる疑似餌の提供にある。
【課題を解決するための手段】
【０００６】
本発明に係る疑似餌は、
（１）高比重材料からなるヘッド
並びに
（２）フック及びハリスからなるフックアッセンブリー
を備える。このヘッドは、本体と掛け鉤とを備える。本体は、ハリスが貫通する孔を備える。掛け鉤は、孔の一端の近傍において本体に取り付けられている。この疑似餌では、掛け鉤にハリスが掛け留めされる。
【０００７】
好ましくは、掛け鉤は、その一端が本体に固定されたスプリングである。このスプリングによって、掛け鉤の他端が本体に向かって付勢される。この付勢力に抗して他端が本体から離されることで、ハリスが通過する間隙が、掛け鉤と本体との間に形成されうる。
【発明の効果】
【０００８】
本発明に係る疑似餌では、掛け鉤への掛け留めによってヘッドからのハリスの脱抜が阻止される。この掛け留め作業は簡便であり、短時間でなされうる。ハリスが掛け鉤からはずされることにより、ハリスはヘッドから抜かれる。この作業も簡便であり、短時間でなされうる。この疑似餌では、フック等が短時間で容易に交換されうる。
【発明を実施するための最良の形態】
【０００９】
以下、適宜図面が参照されつつ、好ましい実施形態に基づいて本発明が詳細に説明される。
【００１０】
図１は、本発明の一実施形態に係る疑似餌２２が示された正面図である。図２は、図１の疑似餌２２の一部が示された拡大断面図である。図３は、図１の疑似餌２２の一部が示された拡大左側面図である。この疑似餌２２は、ヘッド２４、フックアッセンブリー２６、樹脂ビーズ２８及びタコベイト３０を備えている。この疑似餌２２は、インチクと称されている。
【００１１】
ヘッド２４は、海水よりも高比重な材料からなる。従って、ヘッド２４は海水に沈む。ヘッド２４の質量は、５０ｇから３００ｇ、特には８０ｇから２００ｇである。ヘッド２４は、本体３２、ラインアイ３４及び掛け鉤３６からなる。
【００１２】
本体３２は、概して釣鐘に類似の外形を呈する。本体３２が、他の形状を有してもよい。本体３２は、金属材料からなる。好ましくは、本体３２に高比重金属が用いられる。高比重金属の具体例としては、鉛、鉛合金、タングステン及びタングステン合金が例示される。本体３２に高比重金属が用いられることにより、小さなサイズと大きな質量とを兼ね備えたヘッド２４が得られる。この疑似餌２２は、海水中を速い速度で沈降する。この疑似餌２２は、潮に流されることなく目的のポイントに着底しうる。本体３２の表面にメッキ処理が施されることが好ましい。メッキ処理が施された本体３２は、光沢を有する。この光沢は、鯛にアピールする。
【００１３】
図２に示されるように、本体３２は、第一抉剔部３８、第二抉剔部４０及び孔４２を備えている。第一抉剔部３８は、図２中左側であって、本体３２の上下方向中央近傍に形成されている。第二抉剔部４０は、図２中右下に形成されている。この第二抉剔部４０は、本体３２の底４４にまで至っている。孔４２は、第一抉剔部３８から第二抉剔部４０に至っている。孔４２は、図２中左上がりに延在している。
【００１４】
ラインアイ３４は、本体３２の上端に位置している。ラインアイ３４は、金属線が曲げられて形成されている。金属線の端４６は、本体３２に埋め込まれており、本体３２に堅固に固定されている。典型的には、ラインアイ３４は、ステンレススチールからなる。図１に示されるように、ラインアイ３４にはライン４８が結ばれる。ライン４８が、金具を介してラインアイ３４に連結されてもよい。
【００１５】
掛け鉤３６は第一抉剔部３８の直上にある。換言すれば、掛け鉤３６は、孔４２の一端の近傍に位置する。掛け鉤３６は、金属線が曲げられて形成されている。典型的には、掛け鉤３６は、ステンレススチールからなる。掛け鉤３６は、一端５０、収容部５２、当接部５４及び他端５６を備えている。一端５０は本体３２に埋め込まれており、本体３２に堅固に固定されている。収容部５２は、図２中の左向きに凸である。当接部５４は、図２中の右向きに凸である。当接部５４は、本体３２と当接している。他端５６は、本体３２から離れている。掛け鉤３６は、全体的にスプリングとして機能する。このスプリングにより、当接部５４及び他端５６は、本体３２に向かって付勢されている。
【００１６】
図１に示されるように、フックアッセンブリー２６は、２つのフック５８及びハリス６０からなる。ハリス６０の両端は、それぞれフック５８に固定されている。フック５８は、金属材料からなる。ハリス６０は、柔軟な材料からなる。ハリス６０の典型的な材質は、アラミド繊維（登録商標「ケブラー」）である。図３に示されるように、ハリス６０のセンター近傍は、掛け鉤３６に掛け留めされている。
【００１７】
樹脂ビーズ２８には、ハリス６０が貫通している。この樹脂ビーズ２８は、第二抉剔部４０の表面に当接している。この樹脂ビーズ２８により、ハリス６０の第一抉剔部３８の側への抜けが阻止されている。樹脂ビーズ２８が設けられなくてもよい。
【００１８】
タコベイト３０は、軟質である。タコベイト３０は、ゴム組成物又は樹脂組成物からなる。タコベイト３０は、タコに類似の形態を有する。タコベイト３０には、ハリス６０が貫通している。この貫通により、タコベイト３０がハリス６０に固定されている。ライン４８が引かれて疑似餌２２が海水中を上昇すると、水圧を受けて、タコベイト３０が揺らめく。タコベイト３０に変えて、他の軟質ベイトが用いられてもよい。他の軟質ベイトとしては、多数のゴム糸からなるスカート、帯状のゴムシートからなるネクタイ等があげられる。
【００１９】
この疑似餌２２は、釣り人によって海水に投入される。疑似餌２２は高比重なヘッド２４を備えているので、海水中を沈降して着底する。釣り人がライン４８を引くことで、疑似餌２２は海水中を上昇する。上昇中、タコベイト３０は水圧を受ける。この水圧により、タコベイト３０は揺らめく。この揺らめきは、鯛にアピールする。鯛は、タコベイト３０を生きた餌と勘違いし、タコベイト３０に食いつく。このフック５８が鯛に突き刺さり、鯛が釣り上げられる。
【００２０】
図４から６は、掛け鉤３６へのハリス６０の掛け留めの様子が示された断面図である。ハリス６０は、第二抉剔部４０（図２参照）から孔４２を通過して、第一抉剔部３８へと引き出される。ハリス６０は、図４に示されるように、当接部５４よりも上方に配置される。ハリス６０が下方に引かれると、図５に示されるように、スプリングの付勢力に抗して掛け鉤３６が弾性変形し、他端５６及び当接部５４が本体３２から離れる。本体３２と当接部５４との間には、間隙が形成される。この間隙を、ハリス６０が通過する。ハリス６０は、図６に示されるように、収容部５２と本体３２との間に収容される。ハリス６０の通過後、掛け鉤３６が復元し、当接部５４が本体３２と当接して間隙が消滅する。ハリス６０は、掛け鉤３６から容易にははずれない。この掛け留めの作業は極めて簡便であり、短時間でなされる。
【００２１】
ハリス６０が掛け鉤３６からはずされるには、図６に示された状態において、ハリス６０が上方へと引かれる。図５に示されるように、スプリングの付勢力に抗して掛け鉤３６が弾性変形し、他端５６及び当接部５４が本体３２から離れる。本体３２と当接部５４との間には、間隙が形成される。この間隙を、ハリス６０が通過する。ハリス６０は、図４に示されるように、当接部５４の上方に移動する。ハリス６０が図２の右下方に引かれることで、このハリス６０がヘッド２４から取り外される。
【００２２】
この疑似餌２２が用いられた鯛釣りでは、フックアッセンブリー２６、樹脂ビーズ２８及びタコベイト３０からなるセットが予め複数準備される。鯛が疑似餌２２に食いつくことにより、タコベイト３０が損傷を受け、ちぎれることがある。さらに、鯛の歯によってハリス６０が損傷を受けることもある。損傷が生じた疑似餌２２では、掛け鉤３６からハリス６０がはずされ、セットがヘッド２４から取り外される。そして、他のセットのハリス６０が孔４２を通され、掛け鉤３６に掛け留めされる。セットの交換に要する時間は、短い。この疑似餌２２では、フックアッセンブリー２６及びタコベイト３０が、一度に、かつ容易に交換されうる。従って、釣り人が潮時を逃すことがない。
【００２３】
鯛釣りでは、ターゲットとなる鯛のサイズに応じ、フック５８のサイズが決定される必要がある。さらに、鯛のサイズ及び活性、ベイトの種類、天候、潮流、潮の色目、海水温、タナの深さ等に応じ、適切な色目及びサイズを有するタコベイト３０が選択される必要がある。フック５８のサイズ又はタコベイト３０のサイズ若しくは色目が互いに異なる複数のセットが、準備されることが好ましい。この疑似餌２２では、最適なセットが選択されてヘッド２４に取り付けられうる。この疑似餌２２では、状況の変化に応じ、短時間でセットの交換がなされうる。この疑似餌２２が用いられることで、良好な釣果が得られうる。
【００２４】
図７は、本発明の他の実施形態に係る疑似餌６２の一部が示された断面図である。この図７には、ヘッド６４が示されている。図示されていないが、この疑似餌６２は、フックアッセンブリー及びタコベイトを備えている。フックアッセンブリー及びタコベイトの構成は、図１から６に締めされた疑似餌２２のそれと同等である。
【００２５】
ヘッド６４の材質は、図１から６に示されたヘッド２４のそれと同一である。ヘッド６４は、本体６６、ラインアイ６８及び掛け鉤７０からなる。本体６６は、第一抉剔部７２、第二抉剔部７４及び孔７６を備えている。掛け鉤７０は、孔７６の一端の近傍において、本体６６に固定されている。この掛け鉤７０は、第一抉剔部７２に収容されている。この疑似餌６２でも、フックアッセンブリーのハリスは、孔７６を貫通して掛け鉤７０に掛け留められる。掛け鉤７０へのハリスの掛け留め及び掛け鉤７０からのハリスの取り外しは、容易である。この疑似餌６２でも、フックアッセンブリー及びタコベイトが短時間で交換されうる。
【００２６】
この疑似餌６２では、掛け鉤７０が第一抉剔部７２に収容されているので、この掛け鉤７０は本体６６の輪郭からはみ出さない。従って、掛け鉤７０にラインが絡まりにくい。さらに、掛け鉤７０にフックも絡まりにくい。この疑似餌６２では、タックルのトラブルが生じにくい。
【産業上の利用可能性】
【００２７】
本発明に係る疑似餌は、鯛のみならず、太刀魚、ヒラメ等の種々の魚をターゲットにした釣りに適している。
【図面の簡単な説明】
【００２８】
【図１】図１は、本発明の一実施形態に係る疑似餌が示された正面図である。
【図２】図２は、図１の疑似餌の一部が示された拡大断面図である。
【図３】図３は、図１の疑似餌の一部が示された拡大左側面図である。
【図４】図４は、図１の疑似餌の掛け鉤へのハリスの掛け留めの様子が示された断面図である。
【図５】図５は、図１の疑似餌の掛け鉤へのハリスの掛け留めの様子が示された断面図である。
【図６】図６は、図１の疑似餌の掛け鉤へのハリスの掛け留めの様子が示された断面図である。
【図７】図７は、本発明の他の実施形態に係る疑似餌の一部が示された断面図である。
【図８】図８は、従来の疑似餌が示された正面図である。
【符号の説明】
【００２９】
２２・・・疑似餌
２４・・・ヘッド
２６・・・フックアッセンブリー
３０・・・タコベイト
３２・・・本体
３４・・・ラインアイ
３６・・・掛け鉤
４２・・・孔
４８・・・ライン
５０・・・一端
５２・・・収容部
５４・・・当接部
５６・・・他端
５８・・・フック
６０・・・ハリス
【図１】
2008173039.tif 000003
【図２】
2008173039.tif 000004
【図３】
2008173039.tif 000005
【図４】
2008173039.tif 000006
【図５】
2008173039.tif 000007
【図６】
2008173039.tif 000008
【図７】
2008173039.tif 000009
【図８】
2008173039.tif 000010